(57)【要約】【課題】視標の見え方による被検者の違和感を防止し、視力を正確に測定することが出来る、視力計の提供。【解決手段】反射ドーム１３に周辺照明光源１０ａが設けられると共に、周辺照明光源１０ａの色温度は、視標照明光源９の色温度と略同じに設定され、視標照明光源９が視標１２ａを照明すると共に、周辺照明光源１０ａが、反射ドーム１３内における視標１２ａの周辺１３ｃを、視標照明光源９が照明する視標１２ａと略同じ色温度で照明するので、接眼部３を介して観察される視標１２ａと、その周辺１３ｃの見え方による被検者の違和感を防止することが出来、これにより視力を正確に測定することが出来る。【選択図】　図２
2004065582.tif 000002
【特許請求の範囲】
【請求項１】
接眼部、視標照明光源、前記接眼部と前記視標照明光源との間の光路上に設けられた視標、及び該視標と前記接眼部の間の前記光路上に設けられた反射ドームを有する視力計において、
前記反射ドームに該反射ドーム内を照明する周辺照明光源を設け、
前記周辺照明光源の色温度は、前記視標照明光源の色温度と略同じに設定したことを特徴とする視力計。
【請求項２】
前記視標照明光源及び前記周辺照明光源は、白色発光ダイオードであり、
前記周辺照明光源は、前記視標と対向する位置に配置されたことを特徴とする請求項１記載の視力計。
【請求項３】
前記接眼部と前記視標との間の光学距離を変化させ得る光学距離可変手段を設けたことを特徴とする請求項１記載の視力計。
【請求項４】
前記視標の背景照明のコントラスト可変手段を設け、
該コントラスト可変手段により、前記視標と前記背景照明の間のコントラストを縮小し得るようにしたことを特徴とする請求項１記載の視力計。
【発明の詳細な説明】
【０００１】
【発明の属する技術分野】
本発明は、静止視力などの視力が測定可能な視力計に関する。
【０００２】
【従来の技術】
従来、視力計は、視標を照明する光源と、該視標の周辺を照明する光源の２つの光源が用いられており、これにより、視標と共に視標の周辺が十分な輝度で照明されて、静止視力、動体視力、並びにコントラスト視力などの視力が測定される。
【０００３】
しかし、視標とその周辺を十分な輝度で照明するだけでは、視標とその周辺の照明状態、例えば色温度（青紫光と赤光の相対的な強さを表す数値）や輝度などに差が生じる場合があるため、被検者が観察する視標とその周辺の見え方により、被検者に違和感を与えて、上記視力を正確に測定することが出来ない問題がある。
【０００４】
また、上述した視力に加えて夜間視力を測定し得る複合機の場合、被検眼を明順応させる光源として、一般的にハロゲンランプなどのランプが用いられるが、視標の周辺を照明する光源に使用されると共に、視標を照明する光源にもランプが用いられる場合がある。
【０００５】
しかし、ランプは、輝度の経時変化などから該輝度が安定せずその調整が容易でないため、視標とその周辺に輝度の差（輝度むら）が生じる場合があり、上述と同様に、被検者に違和感を与えて、上記視力を正確に測定することが出来ない問題がある。
【０００６】
【発明が解決しようとする課題】
本発明は、上記した事情に鑑み、視標とその周辺の照明状態に差が生じることを防止することにより、被検者に違和感を与えることなく視力を正確に測定することが出来る視力計を提供することを目的とするものである。
【０００７】
【課題を解決するための手段】
即ち本発明のうち第１の発明は、接眼部（３）、視標照明光源（９）、前記接眼部（３）と前記視標照明光源（９）との間の光路（Ｐ）上に設けられた視標（例えば１２ａ）、及び該視標（例えば１２ａ）と前記接眼部（３）の間の前記光路（Ｐ）上に設けられた反射ドーム（１３）を有する視力計（１）において、前記反射ドーム（１３）に該反射ドーム（１３）内を照明する周辺照明光源（１０ａ、１０ｂ）を設け、前記周辺照明光源（１０ａ、１０ｂ）の色温度は、前記視標照明光源（９）の色温度と略同じに設定したことを特徴とする。
【０００８】
また本発明のうち第２の発明は、前記視標照明光源（９）及び前記周辺照明光源（１０ａ）は、白色発光ダイオードであり、前記周辺照明光源（１０ａ）は、前記視標（例えば１２ａ）と対向する位置に配置されたことを特徴とする。
【０００９】
また本発明のうち第３の発明は、前記接眼部（３）と前記視標（例えば１２ａ）との間の光学距離を変化させ得る光学距離可変手段（２１、２２）を設けたことを特徴とする。
【００１０】
また本発明のうち第４の発明は、前記視標（例えば１２ａ）の背景照明のコントラスト可変手段（９、１９、２０、３０）を設けたことを特徴とする。
該コントラスト可変手段（９、１９、２０、３０）により、前記視標（例えば１２ａ）と前記背景照明の間のコントラストを縮小し得るようにしたことを特徴とする。
【００１１】
【発明の効果】
以上説明したように本発明のうち第１の発明では、周辺照明光源は、反射ドーム内における視標の周辺を、視標照明光源が照明する視標と略同じ色温度で照明するので、視標とその周辺の見え方による被検者の違和感を防止することが出来、これにより視力を正確に測定することが出来る。
【００１２】
また本発明のうち第２の発明では、視標照明光源及び周辺照明光源は、輝度の経時変化が少ない光源である白色発光ダイオードであり、周辺照明光源が、視標と対向する位置からその視標の周辺を照明するので、白色発光ダイオードの照明特性に応じた略同じ色温度で、かつ輝度むらを生じることなく良好に、視標及びその周辺を照明することが出来る。これにより、被検者に上記違和感を与えることを確実に防止することが出来、更に正確に視力を測定することが出来る。また、白色発光ダイオードは、その輝度を順方向電流に応じて細かく調整することが出来るので、視標照明光源または周辺照明光源の輝度を調整することにより、視標とその周辺間の輝度むらを容易に防止することが出来る。
【００１３】
また本発明のうち第３の発明では、動体視力の測定の際に、光学距離可変手段が、接眼部と視標の間の光学距離を変化させると共に、周辺照明光源が、反射ドーム内における視標の周辺を、視標照明光源が照明する視標と略同じ色温度で照明するので、視標が動くように見える場合であっても、視標とその周辺の見え方による違和感を被検者に与えることを防止することが出来、これにより静止視力と共に動体視力も正確に測定することが出来る。
【００１４】
また本発明のうち第４の発明では、コントラスト視力の測定の際に、コントラスト可変手段が、視標と背景照明の間のコントラストを縮小させると共に、周辺照明光源が、反射ドーム内における視標の周辺を、視標照明光源が照明する視標と略同じ色温度で照明するので、視標が背景照明とのコントラストを縮小されて見える場合であっても、視標とその周辺の見え方による違和感を被検者に与えることを防止することが出来、これにより静止視力と共にコントラスト視力も正確に測定することが出来る。
【００１５】
なお、括弧内の番号等は、図面における対応する要素を示す便宜的なものであり、従って、本記述は図面上の記載に限定拘束されるものではない。
【００１６】
【発明の実施の形態】
図１は、本発明が適用される視力計の一例を示す図で、（ａ）は正面図、（ｂ）は側面図、図２は、本発明に係る視力計の第１の実施の形態における構成を示す図で、（ａ）は構成図、（ｂ）は光学装置を示すＡ−Ａ矢視上面概略図、（ｃ）は視標板の正面図、図３は、視標の一例を示す図で、（ａ）は視標照明光源により照明された際の視標を示す図、（ｂ）はコントラスト照明光源により照明された際の視標を示す図、（ｃ）は視標照明光源により低照度で照明された際の視標を示す図、（ｄ）はコントラスト照明光源及び視標照明光源により照明された際の視標を示す図、図４は、本発明に係る視力計の第２の実施の形態を示す構成図である。
【００１７】
以下、本発明に係る視力計１を、第１の実施の形態及び第２の実施の形態に沿って説明する。
＜第１の実施の形態＞
本発明が適用される視力計１は、図１（ａ）に示すように、箱状に形成された本体２の正面に接眼部３が設けられており、また同図（ｂ）に示すように、本体２の側面に所定のスイッチを有する操作パネル５が設けられている。
【００１８】
接眼部３は、被検者が本体２の内部に設けられた視標（後述）を観察出来るように、双眼の検査窓３ａ、３ｂを備えている。また、被検者が観察を良好に出来るように接眼部３の図面上方には、ガイド６に沿って暗幕７が伸縮自在に設けられている。更に、接眼部３の図面下方には、被検者が視標を認識することにより応答自在な応答スイッチ８が設けられている。
【００１９】
次いで、本体２の内部には、図２（ａ）下方に示す光学装置２ａと、同図（ａ）上方に示す制御装置２ｂが設けられている。
【００２０】
光学装置２ａは、光源として、静止・夜間視力測定の際、視標を照明する視標照明光源９、静止視力測定の際、該視標の周辺を照明する周辺照明光源１０ａ、及び夜間視力測定の際、被検眼４ａ、４ｂを明順応させる明順応用光源１１を備えており、視標照明光源９と、検査窓３ａ、３ｂとの光路Ｐ（図２（ａ）、（ｂ）に示す破線）間に、視標板１２、反射ドーム１３、合焦レンズ１４、及びシャッタ１５ａ、１５ｂを備えている。
【００２１】
視標照明光源９は、例えば順方向電流に応じて輝度の細かい調整が容易で、かつ略白色光を発光する半導体発光素子である、白色発光ダイオード（以下、単に「白色ＬＥＤ」という）からなり、視標照明光源９の前方（照明方向）に配置する視標板１２上の視標を、所定の輝度で照明し得る所定の発光強度を有している。
【００２２】
視標板１２は、図２（ｃ）に示すように、円板状に形成された透過性のガラスからなり、該円板上には、図３（ａ）に示すように、上下左右４方向のいずれかに切れ目（例えば１２ａ１）を有する複数のランドルト氏環の視標１２ａ、１２ｂ、…が、遮光性の適当なコーティング材により形成されて同心円状に配置されている。また、上記視標１２ａ、１２ｂ、…のうち、所定の視標１２ｘは（例えば視力値０．２に対応する視標は）、夜間視力用の視標として使用される。そして、該円板の視標板回転中心１６は、視標板１２を図２（ａ）、（ｃ）に示す矢印Ｂ、Ｃ方向に回動自在になるように、例えばステッピングモータからなる視標板回転用モータ１７の回転軸と係合されており、視標１２ａ、１２ｂ、…、１２ｘのうち選択された視標が、モータ１７の所定角度及び所定方向の回動により、被検者が観察出来るように反射ドーム１３の窓１３ａと対向する位置に配置される。
【００２３】
反射ドーム１３は、被検者の視野角（視野空間）を十分覆い得る所定の大きさを有する中空のボックス型に形成されており、視標照明光源９による照明が反射ドーム１３に進入する窓１３ａ、及び該進入した照明が反射ドーム１３から脱する窓ガラス１３ｂを有している。また、窓ガラス１３ｂの反射により分岐される光路Ｐ上に、被検眼４ａ、４ｂからの反射光を受光して被検眼４ａ、４ｂの瞬きを防止する受光素子４７が設けられている。
【００２４】
反射ドーム１３の内壁には、受けた照明を拡散させる拡散性の部材が形成されており、また反射ドーム１３の内壁において、周辺照明光源１０ａが、観察される視標の周辺（該視標を中心とした視野角内）を照明し得るように、即ち、検査窓３ａ、３ｂを介して観察され得る窓１３ａ外周の内壁１３ｃを照明し得るように、上記視標と対向する位置に配設されている。
【００２５】
上記周辺照明光源１０ａは、上述した視標照明光源９と共に、観察される視標とその周辺が略同じ色温度（青紫光と赤光の相対的な強さを表す数値をいい、その光と同じ色の光を完全黒体が放射したときのその絶対温度）で照明するように、視標照明光源９と同様の白色ＬＥＤからなる。なお、視標照明光源９及び周辺照明光源１０ａの光源の一例として白色ＬＥＤを示したが、観察される視標とその周辺を略同じ色温度で照明するものであれば、これに限らずいずれの光源であってもよいが、細かい輝度の調整が容易な光源が好ましい。
【００２６】
また、反射ドーム１３の内壁において、明順応用光源１１が、照射熱を被検者に放射して違和感を与えないように、被検眼４ａ、４ｂから離れた位置に配設されており、夜間視力測定の際、被検眼４ａ、４ｂを明順応させ得る所定の輝度を有する、例えばハロゲンランプからなる。なお、明順応用光源１１の一例としてハロゲンランプを示したが、被検眼４ａ、４ｂを明順応させ得る所定輝度を有する光源であればいずれの光源であってもよく、例えば明順応させ得る所定輝度を有する白色ＬＥＤなどでもよい。また、明順応用光源１１の配設位置の一例として被検眼４ａ、４ｂから離れた位置を示したが、被検者に違和感を与えなければいずれの位置であってもよく、上記照射熱が少ない光源、例えば所定輝度を有する白色ＬＥＤであれば、被検眼４ａ、４ｂの近傍に配設してもよい。
【００２７】
次いで、合焦レンズ１４は、視力測定の際、接眼部３と観察される視標の光学距離を、例えば見かけ上５［ｍ］に設定し得る所定の屈折率を有すレンズである。
【００２８】
また、シャッタ１５ａ、１５ｂは、視標照明光源９による照明を遮蔽し得る遮光性を有する適当な材料からなり、光路Ｐ上において接眼部３に近接した位置に配設されている。そして、シャッタ１５ａ、１５ｂは、図２（ｂ）に示すように、光路Ｐに対しそれぞれが独立して挿脱し得るように、例えばソレノイドなどからなるアクチュエータ４０により移動自在に設けられている。
【００２９】
次いで、制御装置２ｂは、図２（ａ）上方に示すように、ＣＰＵ（中央処理演算装置）３０を有しており、該ＣＰＵ３０には、表示器３１、メモリ３２、クロック３３、アクチュエータ４０、視力測定中における被検眼の瞬きなどを防止するランプ４２、及び受光素子４７、またインターフェース３４を介して、各視力測定を選択し得る（静止）視力スイッチ３５及び夜間視力スイッチ３８、並びに、視標照明光源９による照明の輝度を調整する輝度調整３９、応答スイッチ８、自動測定の進行を促す音声を出力する音声ガイダンス４１、所定の視力値に応じた視標１２ａ、１２ｂ…を選択し得る視力変更スイッチ４３、視力測定を左眼、右眼、または両眼のいずれかを選択し得る選択眼スイッチ４４、ランドルト氏環の切れ目方向を切換え得る視標スイッチ４５、及びランプ４２の点灯感度を調節する感度調節４６などが接続されている。
【００３０】
また、上記表示器３１、視力スイッチ３５、夜間視力スイッチ３８、輝度調整３９、音声ガイダンス４１、視力変更スイッチ４３、選択眼スイッチ４４、視標スイッチ４５、及び感度調節４６は、図１（ｂ）に示す操作パネル５上の適当な位置に配設されている。
【００３１】
更に、ＣＰＵ３０は、所定出力の電源（不図示）を介して、光学装置２ａを構成する視標照明光源９、周辺照明光源１０ａ、明順応用光源１１、視標板回転用モータ１７、及びアクチュエータ４０などに接続されており、またアクチュエータ４０は、シャッタ１５ａ、１５ｂに接続されている。
【００３２】
視力計１は、以上のような構成を有するので、静止視力を測定する際には、静止視力スイッチ３５を押下することにより、静止視力測定が開始される。即ち、ＣＰＵ３０が、電源（不図示）に所定信号を伝送することより、アクチュエータ４０にシャッタ１５ａ、１５ｂを光路Ｐから離脱させる。なお、左眼の視力を測定する場合は、選択眼スイッチ４４を押下することにより、左眼側のシャッタ１５ａが光路Ｐから離脱される共に、右眼側のシャッタ１５ｂが光路Ｐ上に挿入される。逆に、右眼の視力を測定する場合は、上述と同様の押下により、右眼側のシャッタ１５ｂが光路Ｐから離脱される共に、左眼側のシャッタ１５ａが光路Ｐ上に挿入される。
【００３３】
次いで、視力変更スイッチ４３を押下することにより、所定の視力値に応じた信号が入力されると、ＣＰＵ３０は、電源（不図示）に所定信号を伝送し、視標板回転用モータ１７に視標板１２を所定方向及び所定角度回動させて、上記入力された視力値に応じた例えば視標１２ａが、反射ドーム１３の窓１３ａと対向する位置に配置される。
【００３４】
これと共に、ＣＰＵ３０は、電源（不図示）に所定信号を伝送することより、視標照明光源９、及び周辺照明光源１０ａを点灯させる。視標照明光源９による照明は、光路Ｐに沿って視標１２ａ、反射ドーム１３、合焦レンズ１４、及び検査窓３ａ、３ｂを介して被検眼４ａ、４ｂに達する。一方、周辺照明光源１０ａによる照明は、窓１３ａ及び内壁１３ｃを照明して拡散照明されて、上述と同様に、光路Ｐに沿って被検眼４ａ、４ｂに達し、これにより被検者は、視標１２ａを観察出来るようにされる。
【００３５】
この際、図３（ａ）に示す視標の背景１２ａ２における照明（以下、単に「背景照明」という）は、視標照明光源９である白色ＬＥＤの照明特性に応じた色温度にされると共に、その周辺も同様に、周辺照明光源１０ａである白色ＬＥＤの照明特性に応じた色温度で照明される。これにより視野角内は、共に白色ＬＥＤにより照明されることとなり、その色温度を略同じにした形で照明される。
【００３６】
また、視標１２ａの周辺（窓１３ａ及び内壁１３ｃ）は、該視標１２ａと対向する位置に配設された周辺照明光源１０ａにより、視野角内に例えば影などの暗い部分が生じることがないように輝度むらなく照明される。更に、視標１２ａの輝度は、その周辺より輝度が高くなったり、逆に低くなったりするなどの輝度のむらを生じることがないように、輝度調整３９により適宜調整される。これにより視野角内は、上述したように色温度を略同じにした形で照明されると共に、輝度を略均一にした形で照明される。
【００３７】
なお、周辺照明光源１０ａの配設する位置の一例として、反射ドーム１３内において視標１２ａに対向する位置を示したが、視野角内において輝度むらが生じない配置であればいずれの位置でもよく、例えば指向性の比較的広い光源であれば視標１２ａに対向する位置にある必要はなく、視標１２ａを斜め方向から照明するような位置に配設してもよい。
【００３８】
次いで、被検者は、照明された視標１２ａを観察し、図３（ａ）に示すランドルト氏環の切れ目１２ａ１の方向が認識出来た場合、該切れ目１２ａ１の方向に応じて応答スイッチ８を押下し、認識した方向に応じた信号がＣＰＵ３０に伝送される。これを受けてＣＰＵ３０は、表示器３１に正答である旨の表示し、例えば視力変更スイッチ４３を押下することにより、視標１２ａより視力値が一段高い視標が選択されて、上述した測定を繰り返す。一方、所定時間応答がない場合、または被検者が誤った方向に応じて応答スイッチ８を押下した場合、ＣＰＵ３０は、表示器３１に誤答である旨の表示し、例えば視標１２ａより視力値が一段低い視標が選択されて、上述した測定を繰り返す。そして、ＣＰＵ３０は、正答した視力値で最も高い視力値を被検者の視力として該視力値を表示器３１に表示し、静止視力測定が終了する。
【００３９】
以上のように、静止視力の測定の際、視標照明光源９と周辺照明光源１０ａは、観察される視標とその周辺の色温度が略同じになるように照明するので、観察される視標とその周辺の見え方による違和感をなくすことが出来、静止視力を正確に測定することが出来る。
【００４０】
また、周辺照明光源１０ａは、反射ドーム１３内において観察される視標と対向する位置に配設されると共に、視標照明光源９及び周辺照明光源１０ａとして、輝度の経時変化が少ない光源である白色ＬＥＤが用いられるので、輝度むらを生じることなく、該視標とその周辺を良好に照明することが出来る。これにより、被検者に上記違和感を与えることを確実に防止することが出来、更に正確な静止視力の測定をすることが出来る。
【００４１】
また、視標照明光源９と周辺照明光源１０ａとして用いられる白色ＬＥＤは、その輝度を順方向電流に応じて細かく調整することが出来るので、その輝度を容易に調整することが出来、これにより輝度むらを容易に防止することが出来る。
【００４２】
なお、上述した実施の形態において、静止視力の測定のみについて説明したが、これに限らず、明順応用光源１１により被検眼４ａ、４ｂを明順応後、視標照明光源９により夜間視力用の視標１２ｘを照明し、夜間視力を併せて測定してもよい。また、上述した実施の形態において、手動による視力測定について説明したが、これに限らず、例えば自動による測定、半自動による測定であっても、本発明を適用出来るのは勿論である。
【００４３】
更に、上述した実施の形態において、静止視力の一例として光学距離を５［ｍ］とした遠見視力について説明したが、これに限らず合焦レンズ１４を適宜調整して光学距離を例えば５０［ｃｍ］とする近見視力についても本発明を適用することが出来る。
＜第２の実施の形態＞
次いで、上記第１の実施の形態を一部変更した第２の実施の形態について説明する。なお、本第２の実施の形態においては、一部変更部分を除き、同様な部分はその説明を省略する。
【００４４】
第２の実施の形態における視力計１は、静止視力、夜間視力に加え、動体視力、及びコントラスト視力（視標と背景照明のコントラストを縮小した際の視力）の測定が可能な視力計であり、第１の実施の形態における光学装置２ａに、図４の一点鎖線内に示すように、動体視力測定部２ｃと、コントラスト視力測定部２ｄが設けられている。
【００４５】
動体視力測定部２ｃは、プリズム移動用モータ２１、プリズム２２、ハーフミラー２３ｂ、及びミラー２３ａ、２３ｃ、２３ｄ、２３ｅからなり、合焦レンズ１４と、検査窓３ａ、３ｂとの間の光路Ｐ（図４に示す破線）に設けられている。更に、合焦レンズ１４からの視標照明光源９による照明は、ミラー２３ａで反射され、プリズム２２を介して、ハーフミラー２３ｂで左右に分岐され、ミラー２３ｃ、２３ｄの反射により左眼側の検査窓３ａに到達すると共に、ミラー２３ｅの反射により右眼側の検査窓３ｂに到達するように、プリズム２２、ハーフミラー２３ｂ、及びミラー２３ａ、２３ｃ、２３ｄ、２３ｅは、所定位置に配置されている。
【００４６】
プリズム２２は、図４に示す矢印Ｄ、Ｅ方向への移動速度を、例えば２０ないし６０［ｋｍ／ｈ］に変化させて光学距離を可変するように、プリズム移動用モータ２１により移動自在に設けられている。
【００４７】
また、コントラスト視力測定部２ｄは、ハーフミラー１８、拡散板１９、及び例えば白色ＬＥＤからなるコントラスト照明光源２０からなり、視標板１２と、反射ドーム１３との間の光路Ｐに設けられている。更に、コントラスト視力測定部２ｄによる照明は、拡散板１９を介してハーフミラー１８で反射されて、視標板１２と反射ドーム１３との間の光路Ｐと重なるように、ハーフミラー１８、拡散板１９、及びコントラスト照明光源２０は、所定位置に配置されている。
【００４８】
なお、拡散板１９は、視標の背景照明を減光し得る、濃度の異なった複数の減光フィルムを、第１の実施の形態で示した視標板１２のように円板上に同心円状に配置し、所定濃度の減光フィルタを選択出来るように、アクチュエータ（不図示）により回動自在に設けてもよい。
【００４９】
また、周辺照明光源１０ｂは、第１の実施の形態と異なり、反射ドーム１３内において観察される視標と対向する位置にはなく、明順応用光源１１と隣り合う位置に配設されているが、該視標を斜め方向から照明しても輝度むらの生じない比較的広い指向性の白色ＬＥＤからなる。
【００５０】
次いで、制御装置２ｂのＣＰＵ３０は、第１の実施の形態に加えて、所定出力の電源（不図示）を介して、コントラスト照明光源２０、及びプリズム移動用モータ２１に接続されている。
【００５１】
視力計１は、以上のような構成を有するので、夜間視力測定の際には、夜間視力スイッチ３５を押下することにより、夜間視力測定が開始される。即ち、ＣＰＵ３０が、電源（不図示）に所定信号を伝送することより、アクチュエータ４０にシャッタ１５ａ、１５ｂを光路Ｐから離脱させ、また視標板回転用モータ１７に視標板１２を所定方向・角度回動させて、夜間視力用の視標１２ｘを反射ドーム１３の窓１３ａと対向する位置に配置する。
【００５２】
これと共にＣＰＵ３０は、上述と同様に所定信号を伝送し、視標照明光源９を点灯させて夜間視力用の視標１２ｘを低照度で照明する。これにより被検者は、検査窓３ａ、３ｂを介して夜間視力を測定するに十分低い輝度で照明された視標１２ｘを観察出来るようにされる。
【００５３】
次いで、ＣＰＵ３０は、上述と同様にに所定信号を伝送し、明順応用光源１１を点灯させ、明順応用光源１１は、反射ドーム１３の内壁を例えば５、７００［ｃｄ／ｍ２］の輝度で拡散照明し、被検眼４ａ、４ｂは、該拡散照明された上記内壁を例えば３０秒間見ることにより明順応される。
【００５４】
そして、ＣＰＵ３０は、クロック３３により、明順応用光源１１の点灯後３０秒が経過したことを計数した際、電源（不図示）に所定信号を伝送し、明順応用光源１１を消灯する。なお、片眼の夜間視力を測定する場合、ＣＰＵ３０は、アクチュエータ４０に所定信号を伝送し、直ちにいずれかのシャッタ１５ａ、１５ｂが移動させ、片眼により視標１２ｘを観察出来るようにする。
【００５５】
明順応された被検眼４ａ、４ｂは、ほぼ暗闇状態で次第に暗順応され、被検者は、視標照明光源９により低照度で照明された視標１２ｘを観察し、ランドルト氏環の切れ目を識別出来たところで、応答スイッチ８を押下する。これによりＣＰＵ３０は、クロック３３により明順応用光源１１の消灯からの経過時間を測定し、操作パネル５の表示器３１に該経過時間を表示する。こうして、上記経過時間から所定の特性曲線に基づき夜間視力が測定される。
【００５６】
なお、上述した第２の実施の形態において、明順応用光源１１の一例としてハロゲンランプを示したが、被検眼４ａ、４ｂを明順応し得る所定輝度を有する光源であればいずれの光源であってもよく、例えば上記所定輝度を有する白色ＬＥＤでもよい。即ち、明順応用光源１１と周辺照明光源１０ｂを共用する該白色ＬＥＤを設けることにより、本発明を適用することも可能である。
【００５７】
次いで、動体視力測定について説明する。まず、動体視力スイッチ３６を押下することにより、動体視力測定が開始される。ＣＰＵ３０は、所定信号を伝送することにより、視標照明光源９及び周辺照明光源１０ｂを点灯する。これにより、第１の実施の形態と同様に、観察される視標を中心とした視野角内は、白色ＬＥＤにより色温度を略同じにした形で照明されると共に、輝度調整３９により輝度が適宜調整されて輝度を略均一にした形で照明される。
【００５８】
そして、ＣＰＵ３０は、所定信号を伝送することにより、プリズム移動用モータ２１にプリズム２２を、所定速度で例えば矢印Ｄ→Ｅ方向に移動させる。被検者は、被検眼４ａ、４ｂに近付くように見える視標のランドルト氏環の切れ目を識別出来たところで、応答スイッチ８を押下する。これによりＣＰＵ３０は、クロック３３によりプリズム２２の移動開始からの経過時間を測定し、操作パネル５の表示器３１に該経過時間を表示され、上記経過時間から所定の特性曲線に基づき動体視力が測定される。
【００５９】
次いで、コントラスト視力測定について説明する。コントラスト視力測定について説明する。まず、コントラスト視力スイッチ３７を押下することにより、コントラスト視力測定が開始される。ＣＰＵ３０は、所定信号を伝送することにより、視標照明光源９及び周辺照明光源１０ｂを点灯し、上述と同様に、観察される視標を中心とした視野角内は、白色ＬＥＤにより色温度を略同じで、かつ輝度を略均一にした形で照明される。
【００６０】
そして、ＣＰＵ３０は、所定信号を伝送することにより、コントラスト照明光源２０を点灯する。コントラスト照明光源２０による照明は、拡散板１９を介してハーフミラー１８の反射により、光路Ｐ上において視標照明光源９による照明と重なり、視標１２ａと背景１２ａ２は、図３（ａ）に示す状態から、同図（ｂ）に示す状態に変化し、視標１２ａと背景１２ａ２はいずれも明るくなり、視標と背景照明との間のコントラストを縮小し得ることが出来る。
【００６１】
なお、コントラストを縮小させる一例として、視標照明光源９及びコントラスト照明光源２０により、視標１２ａと背景１２ａ２を共に照明する例を示したが、背景１２ａ２上の輝度（背景輝度）が、視標１２ａ上の輝度（視標輝度）より高ければ（つまり背景が視標より明るければ）いずれのものであってもよく、例えば、図３（ａ）に示す状態から、視標照明光源９を暗くすることより背景１２ａ２の輝度を下げ、図３（ｃ）に示すように、コントラストを縮小することが可能である。また、図３（ａ）の状態から、コントラスト照明光源２０を明るくする一方、視標照明光源９を暗くした場合、視標１２ａは図３（ａ）の状態に比べ輝度が上がり、背景１２ａ２は図３（ａ）の状態に比べ輝度が下がるため、図３（ｄ）に示すようにコントラストを縮小することが可能である。すなわち、背景輝度が視標輝度より高い状態であれば、背景を暗くした場合、視標を明るくした場合、背景を暗くし視標を明るくした場合を問わず、いかなるコントラストも作り出すことが出来る。
【００６２】
具体的には、視標照明光源９による視標１２ａ上での輝度Ｉ［ｃｄ／ｍ２］、コントラスト照明光源２０による視標１２ａ上での輝度Ｉ’［ｃｄ／ｍ２］とすると、上記視標輝度、背景輝度は、それぞれＩ’、Ｉ＋Ｉ’で表され、これにより、コントラストＣ［％］は以下の式１で表される。
［式１］
Ｃ＝｛（Ｉ＋Ｉ’）−Ｉ’｝×１００／｛（Ｉ＋Ｉ’）＋Ｉ｝
また上述したように、背景輝度が視標輝度より高いことより、式２が表される。
［式２］
（Ｉ＋Ｉ’）−Ｉ’＞０
即ち、視標照明光源９の輝度Ｉ、及びコントラスト照明光源２０の輝度Ｉ’が、式１及び式２を満たす範囲で、コントラストＣを自由に設定することが可能である。
【００６３】
例えば、背景輝度Ｉ＋Ｉ’を２００［ｃｄ／ｍ２］、コントラストＣを５０％と設定する場合は、式１より、
［式３］
５０＝｛（Ｉ＋Ｉ’）−Ｉ’｝×１００／｛（Ｉ＋Ｉ’）＋Ｉ｝
となり、また、
［式４］
Ｉ＋Ｉ’＝２００
即ち、式３及び式４の連立方程式を解くことにより、Ｉ＝１３３．３［ｃｄ／ｍ２］の視標照明光源９と、Ｉ’＝６６．７［ｃｄ／ｍ２］のコントラスト照明光源２０により、上記設定が可能となる。
【００６４】
こうして、観察される視標１２ａとその背景照明の間のコントラストが縮小され、被検者は、例えば夕方の薄暮の状態のように薄暗い状態（低コントラスト状態）で視標１２ａを観察出来るようにされる。
【００６５】
被検者は、上記低コントラスト状態の視標を観察して、ランドルト氏環の切れ目を識別出来たところで応答スイッチ８を押下する。これにより、ＣＰＵ３０は、クロック３３により上記視標の観察開始からの経過時間を測定し、操作パネル５の表示器３１に該経過時間を表示され、上記経過時間から所定の特性曲線に基づきコントラスト視力が測定される。
【００６６】
以上のように、動体視力及びコントラスト視力の測定の際、視標照明光源９と周辺照明光源１０ｂは、観察される視標とその周辺の色温度が略同じになるように照明するので、視標が動くように見える場合や、視標が背景照明との間のコントラストを縮小されて見える場合であっても、観察される視標とその周辺の見え方による違和感を被検者に与えることを防止することが出来、静止視力と共に、動体視力、コントラスト視力などの視力も正確に測定することが出来る。
【００６７】
また、視標照明光源９及び周辺照明光源１０ｂとして、輝度の経時変化が少ない光源である白色ＬＥＤが用いられるので、被検者に上記違和感を与えることを確実に防止することが出来、動体視力、コントラスト視力などの視力を更に正確に測定をすることが出来る。
【００６８】
なお、上述した第１及び第２の実施の形態において、測定される視力の一例として静止視力、夜間視力、動体視力、及びコントラスト視力を示したが、視標とその周辺の色温度を略同じにし、かつ輝度を略均一に照明することにより正確に測定出来る視力であれば、単一機能の機器または複合機を問わず、いずれの視力であっても本発明を適用することが出来、例えば、縞の幅が変化する視標による縞視力や、白地に種々のコントラストが変化する視標による対比視力などの特殊な視力、あるいは低コントラスト状態における夜間視力、動体視力などのように観察状態を複合させた視力についても本発明を適用することが出来るのは勿論である。
【図面の簡単な説明】
【図１】図１は、本発明が適用される視力計の一例を示す図で、（ａ）は正面図、（ｂ）は側面図である。
【図２】図２は、本発明に係る視力計の第１の実施の形態における構成を示す図で、（ａ）は構成図、（ｂ）は光学装置を示すＡ−Ａ矢視上面概略図、（ｃ）は視標板の正面図である。
【図３】図３は、視標の一例を示す図で、（ａ）は視標照明光源により照明された際の視標を示す図、（ｂ）はコントラスト照明光源により照明された際の視標を示す図、（ｃ）は視標照明光源により低照度で照明された際の視標を示す図、（ｄ）はコントラスト照明光源及び視標照明光源により照明された際の視標を示す図である。
【図４】図４は、本発明に係る視力計の第２の実施の形態を示す構成図である。
【符号の説明】
１……視力計
３……接眼部
９……視標照明光源、コントラスト可変手段（白色発光ダイオード）
１１……明順応用光源（ハロゲンランプ）
１０ａ、１０ｂ……周辺照明光源（白色発光ダイオード）
１２ａ、１２ｂ、１２ｘ……視標
１３……反射ドーム
１９……コントラスト可変手段（拡散板）
２０……コントラスト可変手段（コントラスト照明光源）
２１……光学距離可変手段（プリズム移動用モータ）
２２……光学距離可変手段（プリズム）
３０……コントラスト可変手段（ＣＰＵ）
Ｐ……光路
【図１】
2004065582.tif 000003
【図２】
2004065582.tif 000004
【図３】
2004065582.tif 000005
【図４】
2004065582.tif 000006